(57)【特許請求の範囲】
【請求項１】
第１の編成糸により編成された表面部と、第２の編成糸により編成された裏面部と、前記表面部と前記裏面部との間に設けられ前記表面部と前記裏面部とを連結する中間部とを備え、
前記中間部が天然繊維素材を含む連結糸から構成されるフェルト層である、スペーサーファブリック編地。
【請求項２】
前記連結糸の天然繊維素材はウールである、請求項１に記載のスペーサーファブリック編地。
【請求項３】
前記第１の編成糸、前記第２の編成糸の少なくとも一方は天然繊維素材を含む糸により編成されている、請求項１または２に記載のスペーサーファブリック編地。
【請求項４】
請求項１から３のいずれかに記載のスペーサーファブリック編地が用いられ、無縫製に編成された編地製品。
【請求項５】
第１の編成糸により編成された表面部と、第２の編成糸により編成された裏面部と、天然繊維素材を含む連結糸から構成され前記表面部と前記裏面部との間に設けられて前記表面部と前記裏面部とを連結する中間部とを一体に編成して編地を得ることと、
前記中間部をフェルト層とするために前記編地を水処理することと、
前記水処理した編地を乾燥させることと、を含むスペーサーファブリック編地の製造方法。
【発明の詳細な説明】
【技術分野】
【０００１】
本発明は、スペーサーファブリック編地に関するものである。
【背景技術】
【０００２】
従来より、表裏の生地を連結糸で連結したスペーサーファブリックと呼ばれる生地が提案されている。スペーサーファブリックは立体構造を有するため、平面構造の生地に比べて良好なクッション性を有する。このため、運動サポーター材や靴材、マットレス、帽子材等に多く用いられてきており、例えば特許文献１には、ブラジャーのパットにスペーサーファブリックが用いられている。
【先行技術文献】
【特許文献】
【０００３】
【特許文献１】特開２０２０−１７２７３０号公報
【発明の概要】
【発明が解決しようとする課題】
【０００４】
特許文献１においては、スペーサーファブリック生地は厚手のシート状であって、ウレタンフォーム、不織布、あるいはポリウレタンなどの素材から構成されている。このような化学繊維や合成樹脂の素材を用いた場合、所望の形状に成形しやすく型崩れしにくいが、化学繊維素材であるために、表裏の生地の間の空間に熱がこもったり、汗が蒸発しにくく、着用者がべたつきや蒸れを感じやすいという問題がある。
【０００５】
本発明は前記問題に鑑みてなされたものであり、通気性が良好で型崩れしにくいスペーサーファブリック編地を提供することを課題としている。
【課題を解決するための手段】
【０００６】
本発明のスペーサーファブリック編地は、第１の編成糸により編成された表面部と、第２の編成糸により編成された裏面部と、前記表面部と前記裏面部との間に設けられて前記表面部と前記裏面部とを連結する中間部とを備え、前記中間部が天然繊維素材を含む連結糸から構成されるフェルト層である。
【０００７】
上記の構成によれば、スペーサーファブリック編地の中間部に天然繊維素材を含む連結糸を用いているため、化学繊維素材を用いたスペーサーファブリック編地よりも通気性を有し、蒸れ感が生じにくい。また、中間部は連結糸の繊維が絡まり合った状態であるフェルト層となっているため、編地に強度や弾力が生じ、所定の形状を保ちやすく、型崩れしにくい。本明細書においては、フェルト層とは、繊維が互いに密にからみ合い緻密になった状態の層を言う。
【０００８】
前記連結糸の天然繊維素材はウールであることが好ましい。
【０００９】
前記第１の編成糸、前記第２の編成糸の少なくとも一方は天然繊維素材を含む糸により編成されていることが好ましい。
【００１０】
本発明の他の形態は、上記のいずれかのペーサーファブリック編地が用いられ、無縫製に編成された編地製品である。
【００１１】
本発明のスペーサーファブリック編地の製造方法は、第１の編成糸により編成された表面部と、第２の編成糸により編成された裏面部と、天然繊維素材を含む連結糸から構成され、前記表面部と前記裏面部との間に設けられて前記表面部と前記裏面部とを連結する中間部とを一体に編成して編地を得ることと、前記中間部をフェルト層とするために前記編地を水処理することと、前記水処理した編地を乾燥させることと、を含む。
【００１２】
上記の構成によれば、スペーサーファブリック編地の中間部が天然繊維素材を含む連結糸から構成されるフェルト層となるため、化学繊維素材を用いたスペーサーファブリック編地よりも通気性を有し、蒸れ感が生じにくい。また、中間部はフェルト層となっているため、編地に強度や弾力が生じ、所定の形状を保ちやすく、型崩れしにくい。
【発明の効果】
【００１３】
本発明のスペーサーファブリック編地及びその製造方法によれば、化学繊維素材を用いたスペーサーファブリック編地よりも通気性を有し、蒸れ感が生じにくく、型崩れしにくくなる。
【図面の簡単な説明】
【００１４】
【図１】本発明の一実施形態に係るスペーサーファブリック編地の構成を示す説明図である。
【図２】スペーサーファブリック編地の製造方法の手順を示すフローチャートである。
【図３】図１に示すスペーサーファブリック編地を用いたブラジャー用パットの（Ａ）は正面図であり、（Ｂ）は（Ａ）のＡ−Ａ線断面図である。
【図４】ブラジャー用パットの編成工程を説明するための説明図である。
【発明を実施するための形態】
【００１５】
本発明の一実施形態を図面を参照して説明する。スペーサーファブリック編地１０は、図１に示すように、表面部１１と、裏面部１２と、表面部１１と裏面部１２との間に設けられて表面部１１と裏面部１２とを連結する中間部１３とを備えている。
【００１６】
表面部１１は主に第１の編成糸１１ａから編成されており、後述の編成工程ＳＴ１０で説明するように中間部１３の連結糸１３ａが編み込まれる。裏面部１２は主に第２の編成糸１２ａから編成されており、中間部１３の連結糸１３ａが編み込まれる。表面部１１、裏面部１２の第１、第２の各編成糸１１ａ、１２ａを構成する素材は限定されないが、少なくとも一方は肌触りの観点から天然繊維素材から構成されることが好ましく、第１、第２の各編成糸１１ａ、１２ａの両方が天然繊維素材から構成されてもよい。また、第１、第２の各編成糸１１ａ、１２ａの素材は化学繊維を含む素材から構成されていてもよく、第１、第２の各編成糸１１ａ、１２ａの一方が化学繊維素材、他方が天然繊維素材から構成されていてもよい。
【００１７】
天然繊維とは、例えば、ウール、綿、絹、麻、ジュート、亜麻、または大麻等を素材とする繊維、またはこれらの繊維が混合された繊維であるが、これに限定されるものではない。化学繊維には、合成繊維、半合成繊維、再生繊維を含む。合成繊維は、ポリマー繊維であり、例えば、ナイロン、ウーリーナイロン、ＦＩＹ、ポリウレタン、ポリエステル、ポリエステルから作成されたポリ塩化ビニル(ＰＶＣ)不含繊維、ポリ塩化ビニル(ＶＣ)繊維、ポリアミド、ポリイミド、ポリアクリル、ポリプロピレン、ポリエチレン、ポリスチレン、ポリアラミド等からなる繊維またはこれらの繊維が混合された繊維である。半合成繊維とは、セルロースなどの天然の高分子物質を化学的に処理してエステルなどの形に変え、繊維にしたものであり、例えば、アセテート繊維などである。再生繊維は、天然の高分子化合物を溶解して均一な溶液にし、これを再び繊維に形成したものであり、例えば、パルプを原料にした再生セルロース繊維である。
【００１８】
表面部１１及び裏面部１２の編組織は、特に限定されるものではなく、例えば、天竺編(平編)、リブ編、ガーター編、鹿の子編、交差編、寄せ編、タック、リンクス、ミス、プレーティング、インレイなどが挙げられる。これらの編組織が単独で用いられてもよく、またはこれらの編組織を適宜組み合わせてもよい。編組織とは、経編又は緯編における編目方向の規則のことをいう。
【００１９】
中間部１３は、フェルト層からなる。フェルト層とは、繊維が互いに密にからみ合い緻密になった状態の層を言う。また、繊維を互いに密にからみ合わせて緻密になった状態のフェルト層を形成することを「フェルト化」（「縮絨」「縮絨化」とも言う）と言う。本実施形態においては、フェルト層は、水処理によりフェルト化する連結糸１３ａから構成されており、連結糸１３ａは天然繊維素材から構成されている。連結糸１３ａに用いられる天然繊維素材は特に限定されず、ウール、綿、絹、麻、ジュート、亜麻、または大麻等が挙げられるが、フェルト化しやすいという観点から、本実施形態ではウールを用いている。なお、図１は説明のために表面部１１、裏面部１２、中間部１３を簡略化して示したものであり、実際の表面部１１、裏面部１２、中間部１３を図示したものではない。
【００２０】
表面部１１の第１の編成糸１１ａ、裏面部１２の第２の編成糸１２ａ、中間部１３の連結糸１３ａに用いられる繊維素材は、防臭、消臭、抗菌及び吸水のうち少なくとも１つの機能を有していてもよい。さらに、第１の編成糸１１ａ、第２の編成糸１２ａに様々な色に染色された糸を用いることで、図柄等を表してもよい。
【００２１】
本実施形態のスペーサーファブリック編地１０の製造方法について説明する。まず、表面部１１と、裏面部１２と、中間部１３とを一体に編成して水処理前の編地を得る編成工程ＳＴ１０を行う。編成工程ＳＴ１０は、一般的なスペーサーファブリック編地を編成する工程と同様であり、横編機を使って行われる。横編機として、例えば株式会社島精機製作所製のホールガーメントコンピュータ横編機（機種名：ＳＷＧ０２１Ｎ２）などが挙げられる。
【００２２】
横編機は、前後のニードルヘッド（前ヘッド、後ヘッド）と、各ニードルヘッドに並列して取付けられフック部を有する編針と、編針に糸を供給するキャリアとを有する。前ヘッドの編針に第１の編成糸１１ａを供給して所定の編組織に表面部１１を編成し、後ヘッドの編針に第２の編成糸１２ａを供給して所定の編組織に裏面部１２を編成する。そして、表面部１１及び裏面部１２を連結糸１３ａを用いてタックにより連結し中間部１３を編成する。これを繰り返すことによりスペーサーファブリック編地１０が編成される。なお、編機は横編機に限定されず、表面部１１と、裏面部１２と、中間部１３とをスペーサーファブリックとして一体に編成できる編機であればよく、経編機であってもよい。
【００２３】
次に、編成工程ＳＴ１０で編成した編地を水処理する工程ＳＴ１１を行う。水処理工程ＳＴ１１においては、編成工程ＳＴ１０で編成した編地を、温度を４０度〜４５度程度とした水または弱アルカリ性溶液(セッケン液など)中に浸し、約１５分程度、圧力、振動などを加える。水処理工程ＳＴ１１は、例えば洗濯機を用いて行われる。これにより、中間部１３においては、連結糸１３ａがフェルト化されフェルト層が形成される。
【００２４】
中間部１３がフェルト化して収縮することで、表面部１１、裏面部１２も中間部１３に引っ張られて収縮する。水処理工程ＳＴ１１後の編地は、中間部１３において水処理工程ＳＴ１１前よりも単位面積当たりの編み目の数が多くなり、水処理前の大きさに対して約２０％〜２７％収縮した大きさ、すなわちと水処理前の大きさの約７３％〜８０％の大きさとなっている。この収縮により、水処理後の編地は水処理前よりも強度や弾力が増した編地となり、型崩れしにくくなる。
【００２５】
なお、第１、第２の各編成糸１１ａ、１２ａが天然繊維素材等の水処理により縮む繊維から構成されている場合には、中間部１３に加え表面部１１、裏面部１２もフェルト化される。また、弱アルカリ性溶液を用いた場合には、水処理工程ＳＴ１１は弱アルカリ性溶液を水で洗い流す洗浄工程を含む。
【００２６】
さらに、水処理した編地を乾燥させる工程ＳＴ１２を行う。乾燥工程ＳＴ１２は、ドラム式乾燥機やドライヤー等を用いて行われる。これらの工程により、本実施形態のスペーサーファブリック編地１０が製造される。
【００２７】
本実施形態のスペーサーファブリック編地１０によれば、中間部１３が天然繊維素材を含む連結糸１３ａから構成されるフェルト層であるため、化学繊維素材を用いるよりも通気性を有し、べたつきや蒸れ感が生じにくい。また、連結糸１３ａとして天然繊維素材であるウールを用いているので、水処理により簡単にフェルト化できる。また、中間部１３のフェルト層は繊維が絡まり合った状態となっているため、水処理前の編地よりも強度や弾力が増し、所定の形状を保ちやすく、型崩れしにくい。
【００２８】
さらに、スペーサーファブリック編地に化学繊維素材の糸を用いる場合には、肌荒れやかゆみ、かぶれなど、いわゆる「化繊負け」の症状や、化学繊維物質過敏症（微量の化学物質に触れるだけで種々の不定愁訴を呈する症候群）などが生じることがあり、近年ではできるだけ化学繊維・化学物質を身に着けたくないという消費者の要望が強くなっている。本実施形態においては、少なくとも中間部１３に天然繊維素材の糸を用いているため、化繊負けや化学繊維物質過敏症など（以下、「化繊負け等」と言う。）が生じにくい。また、表面部１１、裏面部１２の少なくとも肌に接する側の編成糸に天然繊維素材の糸を用いることで、肌触りがよくなり、化繊負け等がさらに生じにくくなる。さらに、表面部１１、裏面部１２、中間部１３の全てに天然繊維素材の糸を用いることで、化繊負け等の発生を防ぐことができる。
【００２９】
図３に、上記のスペーサーファブリック編地１０が用いられ、無縫製に編成された編地製品を示す。本実施形態においては、編地製品はブラジャー用パット２０（以下、「パット」とも言う。）である。パット２０は、ブラジャーの内面と肌との間に配置されたり、またはブラジャーの内面に設けられたポケットに挿入されることにより、女性の乳房を支持したり乳房の形状を整えたりするものである。なお、ブラジャーに限らず、キャミソール等の下着の内面であって、下着の着用時に乳房に対応する位置に設けられていてもよい。
【００３０】
本実施形態のパット２０は、図３に示すように、頂上部２３を有する山形状に形成したものであり、スペーサーファブリック編地１０で編成されている。パット２０の装着時にはパット２０の内側の空間に乳房が収容され、パット２０は乳房の下側を支える下部分２１と、乳房の上側に接する上部分２２とを有する。スペーサーファブリック編地１０の裏面部１２が装着時における肌側、表面部１１が外側に位置する。
【００３１】
本実施形態では、表面部１１、裏面部１２の第１、第２の各編成糸１１ａ、１２ａは、天然繊維素材を含む糸であり、天然繊維素材として例えばシルクが用いられる。中間部１３の連結糸１３ａは、ウールを含む糸が用いられる。しかし、これに限定されず、例えば、表面部１１の第１の編成糸１１ａに化学繊維素材を含む糸を用いてもよく、表面部１１、裏面部１２の第１、第２の各編成糸１１ａ、１２ａの両方に化学繊維素材を含む糸を用いてもよい。
【００３２】
本実施形態のスペーサーファブリック編地１０をパット２０として用いるには、上述のスペーサーファブリック編地１０の製造方法の編成工程ＳＴ１０において、スペーサーファブリック編地１０をパット２０の形状を有するように無縫製に編成する。編成工程ＳＴ１０において、パット２０の形状に編成する手順を以下に説明する。編成は横編機を用いてコンピュータにより予め設計された順序によって行われる。図４はパット２０の形状に編成する手順の説明図であり、まず、下部分２１を図４における下端縁部２１ｃから横方向に沿って一段ずつ、上方向に向けて編成する。このとき、下部分２１の両側端部２１ａ、２１ｂは、編み目を残した状態としておく。次に、頂上部２３において下部分２１に連続して上部分２２を編成する。上部分２２は、図４における頂上部２３から横方向に沿って一段ずつ、上方向に向けて編成される。上部分２２の側端部２２ａを編む際に、対応する下部分２１の側端部２１ａの編み目を同時に編み込むことで、側端部２２ａと側端部２１ａとが連結される。上部分２２の側端部２２ｂを編む際に、対応する下部分２１の側端部２１ｂの編み目を同時に編み込むことで、側端部２２ｂと側端部２１ｂとが連結される。このようして、パット２０が山形状に無縫製に編成される。なお、編成工程ＳＴ１０は本実施形態に限定されず、例えば、パット２０の上部分２２から編み始め、次に下部分２１を編成してもよい。なお、図４は編成工程ＳＴ１０を説明するために図３に示すパット２０の側端部２１ａ、２１ｂ、２２ａ、２２ｂを切り離して展開したものであり、実際に図４に示す形状に編まれるものではない。
【００３３】
上記の構成によれば、スペーサーファブリック編地１０の中間部１３がフェルト層であるため、化学繊維素材を用いるよりも通気性を有し、蒸れ感が生じにくい。また、中間部１３のフェルト層は繊維が絡まり合った状態となっているため、パット２０の形状を保ちやすく、型崩れしにくい。さらに、少なくとも裏面部１２の第２の編成糸１２ａにシルクからなる天然繊維を用いているので、パット２０の触り心地がよく、パット２０が直接肌に接する場合には肌触りがよい。また、少なくとも中間部１３、裏面部１２に天然繊維素材の糸を用いているため、化繊負け等が生じにくい。本実施形態では、中間部１３の連結糸１３ａ、表面部１１、裏面部１２の第１、第２の各編成糸１１ａ、１２ａの全てに天然繊維素材を用いているため、化繊負け等の発生を防ぐことができる。また、パット２０は無縫製で編成されており、型に沿って生地を切断したり側端部２１ａ、２１ｂ、２２ａ、２２ｂを縫製する手間がないため、簡単にパット２０の製造を行うことができ、生産性が良い。
【００３４】
本発明の編地製品はブラジャー用パット２０に限定されず、例えば、マット、パンティライナー、マスク、ベッドや布団などの上に敷かれて人が横たわるための寝具用敷きパッド、靴の中敷き等であってもよい。上述のスペーサーファブリック編地１０の製造方法の編成工程ＳＴ１０において、スペーサーファブリック編地１０を所望の用途の編地製品の形状を有するように無縫製に編成する。本実施形態のスペーサーファブリック編地１０は中間部１３をフェルト層としており、繊維が絡み合いフィルターの役目を果たすこともできるため、編地製品がマスクである場合にはフィルター効果を発揮することもできる。
【００３５】
以上、本発明の一実施形態について説明したが、本発明は上記実施形態に限定されるものではなく、本発明の趣旨を逸脱しない限りにおいて種々の変更が可能である。
【符号の説明】
【００３６】
１０  スペーサーファブリック編地
１１  表面部
１１ａ  第１の編成糸
１２  裏面部
１２ａ  第２の編成糸
１３  中間部
１３ａ  連結糸
２０  パット
２１  下部分
２２  上部分
２３  頂上部
【要約】
【課題】通気性を有し、蒸れ感が生じにくいスペーサーファブリック編地を提供する。
【解決手段】
本発明のスペーサーファブリック編地１０は、表面部１１と、裏面部１２と、前記表面部１１と前記裏面部１２との間に設けられ表面部１１と裏面部１２とを連結する中間部１３とを備え、中間部１３が、天然繊維素材の連結糸１３ａを含むフェルト層である。
【選択図】図１【図１】
0006894657.tif 000002
【図２】
0006894657.tif 000003
【図３】
0006894657.tif 000004
【図４】
0006894657.tif 000005